(57)【要約】【課題】液晶パネルの大きさを減少させながらも製造コスト及び消費電力を減少させることができる液晶表示装置を提供する。【解決手段】複数のデータラインと複数の第１及び第２のゲートラインによって定義される領域ごとに配置される複数の画素セルを持つ液晶パネルと、前記液晶パネルの一方側に形成され、前記第１のゲートラインにゲートオン電圧を供給する第１のゲート内蔵回路と、前記液晶パネルの他方側に形成され、前記第２のゲートラインにゲートオン電圧を供給する第２のゲート内蔵回路と、前記第１及び第２のゲート内蔵回路を駆動させるとともに、前記各データラインに画像信号を供給する駆動集積回路と、前記液晶パネルに前記駆動集積回路の入／出力バンプと電気的に接続されるように複数の入／出力端子が形成され、前記駆動集積回路が実装されるパッド部と、を備える構成とした。【選択図】図１
2008216982.tif 000002
【特許請求の範囲】
【請求項１】
複数のデータライン及び複数のゲートラインによって定義される領域ごとに配置される複数の画素セルを持つ液晶パネルと、
前記液晶パネルに形成され、前記各ゲートラインにゲートオン電圧を供給するゲート内蔵回路と、
前記ゲート内蔵回路を駆動させるとともに、前記各データラインに画像信号を供給する駆動集積回路と、
前記液晶パネルに前記駆動集積回路の入／出力バンプと電気的に接続されるように複数の入／出力端子が形成され、前記駆動集積回路が実装されるパッド部と、
を備えることを特徴とする、液晶表示装置。
【請求項２】
前記入／出力バンプは、
外部からの入力電源、ソースデータ信号及び同期信号のうちの少なくとも一つの信号を受信する複数の入力バンプと、
前記ゲート内蔵回路にゲート駆動信号を出力する複数のゲート出力バンプと、
前記各データラインと共通電極に画像信号と共通電圧を供給する複数のデータ出力バンプと、
を備えることを特徴とする、請求項１に記載の液晶表示装置。
【請求項３】
前記入／出力バンプは、
前記駆動集積回路の下部面一方側の第１の周縁部に最も近隣して配置された複数の入力バンプと、
前記駆動集積回路の下部面他方側の第２の周縁部に最も近隣して配置された前記各データ出力バンプと、
前記各入力バンプと前記各データ出力バンプが配置されていない第３の周縁部に最も近隣して配置された前記各ゲート出力バンプと、
を備えることを特徴とする、請求項２に記載の液晶表示装置。
【請求項４】
前記パッド部は、
前記各入力バンプに電気的に接続される複数個の入力接続端子と、
前記各ゲート出力バンプに電気的に接続される複数個のゲート接続端子と、
前記各データ出力バンプに電気的に接続される複数個のデータ接続端子と、
を備えることを特徴とする、請求項３に記載の液晶表示装置。
【請求項５】
前記各入力接続端子、前記各ゲート接続端子及び前記各データ接続端子は、それぞれの信号転送パターンと一体に形成されたことを特徴とする、請求項４に記載の液晶表示装置。
【請求項６】
複数のデータラインと複数の第１及び第２のゲートラインによって定義される領域ごとに配置される複数の画素セルを持つ液晶パネルと、
前記液晶パネルの一方側に形成され、前記第１のゲートラインにゲートオン電圧を供給する第１のゲート内蔵回路と、
前記液晶パネルの他方側に形成され、前記第２のゲートラインにゲートオン電圧を供給する第２のゲート内蔵回路と、
前記第１及び第２のゲート内蔵回路を駆動させるとともに、前記各データラインに画像信号を供給する駆動集積回路と、
前記液晶パネルに前記駆動集積回路の入／出力バンプと電気的に接続されるように複数の入／出力端子が形成され、前記駆動集積回路が実装されるパッド部と、
を備えることを特徴とする、液晶表示装置。
【請求項７】
前記入／出力バンプは、
外部からの入力電源、ソースデータ信号及び同期信号のうちの少なくとも一つの信号を受信する複数の入力バンプと、
前記第１のゲート内蔵回路に第１のゲート駆動信号を出力する複数の第１のゲート出力バンプと、
前記第２のゲート内蔵回路に第２のゲート駆動信号を出力する複数の第２のゲート出力バンプと、
前記各データラインと共通電極に画像信号と共通電圧を供給する複数のデータ出力バンプと、
を備えることを特徴とする、請求項６に記載の液晶表示装置。
【請求項８】
前記入／出力バンプは、
前記駆動集積回路の下部面一方側の第１の周縁部に最も近隣して配置された複数の入力バンプと、
前記駆動集積回路の下部面他方側の第２の周縁部に最も近隣して配置された前記各データ出力バンプと、
前記各入力バンプと前記各データ出力バンプが配置されていない第３周縁部に最も近隣して配置された複数の第１のゲート出力バンプと、
前記各入力バンプと前記各データ出力バンプが配置されていない第４周縁部に最も近隣して配置された複数の第２のゲート出力バンプと、
を備えることを特徴とする、請求項７に記載の液晶表示装置。
【請求項９】
前記パッド部は、
前記入力バンプのそれぞれに電気的に接続される複数の入力接続端子と、
前記第１のゲート出力バンプのそれぞれに電気的に接続される複数の第１のゲート接続端子と、
前記第２のゲート出力バンプのそれぞれに電気的に接続される複数の第２のゲート接続端子と、
前記データ出力バンプのそれぞれに電気的に接続される複数のデータ接続端子と、
を備えることを特徴とする、請求項８に記載の液晶表示装置。
【請求項１０】
前記各入力接続端子、前記第１のゲート接続端子、前記第２のゲート接続端子及び前記データ接続端子のそれぞれは、それぞれの信号転送パターンと一体に形成されたことを特徴とする、請求項９に記載の液晶表示装置。
【請求項１１】
前記液晶パネルを外部の駆動システムに連結する可撓性印刷回路をさらに備えることを特徴とする、請求項１または６のいずれかに記載の液晶表示装置。
【請求項１２】
前記駆動集積回路は、
前記可撓性印刷回路を介した前記駆動システムからのソースデータ信号及び同期信号を中継する信号中継部と、
第１の電源を生成する第１の電源生成部と、
前記第１の電源を用いて第２の電源を生成する第２の電源生成部と、
前記第２の電源を用いて前記液晶パネルに共通電圧を供給する共通電圧生成部と、
前記信号中継部から供給されるソースデータ信号を前記液晶パネルの駆動に合わせて整列するとともに、前記駆動集積回路の内部を制御する信号制御部と、
前記信号制御部から供給される同期信号を用いて前記ゲート内蔵回路を駆動させるためのゲート駆動信号及びデータ制御信号を生成する制御信号生成部と、
前記第２の電源を用いて前記ゲート駆動信号の電圧レベルを昇圧して前記ゲート内蔵回路に供給する昇圧回路と、
前記第１の電源を用いて複数の階調電圧を生成する階調電圧生成部と、
前記複数の階調電圧を用いて前記信号制御部から供給される整列されたデータ信号を前記データ制御信号によって前記画像信号に変換するデータ変換部と、
を備えることを特徴とする、請求項１１に記載の液晶表示装置。
【請求項１３】
前記駆動集積回路は、
前記第１及び第２の電源を駆動させるためのクロックを生成するクロック生成部と、
前記第１の電源生成部から前記階調電圧生成部に供給される第１の電源の電圧レベルを設定するレベル設定部と、
をさらに備えることを特徴とする、請求項１２に記載の液晶表示装置。
【請求項１４】
前記信号制御部は、
１水平区間を第１乃至第３のサブ区間に分け、前記各サブ区間に対応するように前記１水平区間のソースデータ信号を第１乃至第３の色のデータに整列することを特徴とする、請求項１３に記載の液晶表示装置。
【請求項１５】
前記信号制御部は、
奇数番目のゲートラインが駆動される前記サブ区間には、第１乃至第ｍのデータラインに前記画像信号が供給されるように前記整列されたデータを再整列し、
偶数番目のゲートラインが駆動される前記サブ区間には、第２乃至第ｍ＋１のデータラインに前記画像信号が供給されるように前記整列されたデータを再整列することを特徴とする、請求項１４に記載の液晶表示装置。
【請求項１６】
前記データ変換部は、
シフト信号を生成するシフトレジスタと、
前記シフト信号によって前記整列されたデータ信号をラッチするラッチ部と、
前記複数の階調電圧を用いて前記ラッチされたデータ信号を正極性及び負極性の画像信号に変換するデジタル−アナログ変換部と、
前記正極性及び負極性の画像信号をバッファリングするバッファ部と、
前記制御信号生成部から供給されるデータ極性信号によって前記正極性及び負極性の画像信号を選択し、複数の出力チャネルを介して前記データラインに供給する選択部と、
を備えることを特徴とする、請求項１５に記載の液晶表示装置。
【請求項１７】
前記制御信号生成部は、
前記選択部から選択されて出力される画像信号の極性を、前記出力チャネル単位に反転させるとともに、フレーム単位に反転させるための前記データ極性信号を生成することを特徴とする、請求項１６に記載の液晶表示装置。
【請求項１８】
前記各画素セルは、前記各データラインの方向に沿って３色が反復して配置されるとともに、前記各ゲートラインの方向に沿って同じ色が配置されることを特徴とする、請求項１または６のいずれかに記載の液晶表示装置。
【請求項１９】
隣接する前記画素セルに供給される画像信号の極性は、相互に異なることを特徴とする、請求項１８に記載の液晶表示装置。
【発明の詳細な説明】
【技術分野】
【０００１】
本発明は、液晶表示装置に係り、特に、液晶パネルの大きさを減少させながらも製造コスト及び消費電力を減少させることができる液晶表示装置に関する。
【背景技術】
【０００２】
近年、平板表示装置として、液晶表示装置、電界放出表示装置、プラズマ表示パネル及び発光表示装置などが台頭してきている。
【０００３】
なかでも、液晶表示装置は、電界を用いて液晶の光透過率を調節することによって画像を表示する。このため、液晶表示装置は、液晶セルを持つ液晶パネルと、液晶パネルに光を照射するバックライトユニットと、液晶セルを駆動するための駆動回路とを備える。
【０００４】
ここで、駆動回路は、液晶セルを駆動するための複数の駆動集積回路を備えるが、各駆動集積回路を液晶パネルに接続させる方式によって、テープキャリアパッケージ（ＴＣＰ；Ｔａｐｅ  Ｃａｒｒｉｅｒ  Ｐａｃｋａｇｅ）、チップオンフィルム（ＣＯＦ；Ｃｈｉｐ  Ｏｎ  Ｆｉｌｍ）及びチップオンガラス（ＣＯＧ；Ｃｈｉｐ  Ｏｎ  Ｇｌａｓｓ）などの方式に分類される。
【０００５】
特に、ＣＯＧ方式を用いた液晶表示装置は、複数のデータ及びゲートラインによって定義される領域ごとに画素セルが形成された液晶パネル、各データ及びゲートラインを駆動する複数の駆動集積回路、制御信号を生成して各駆動集積回路を制御する制御部、制御部からの制御信号を各駆動集積回路に供給するための複数の回路フィルム、及び各駆動集積回路と各データ及びゲートラインとを電気的に接続させるパッド部を備える。
【０００６】
回路フィルムは、制御部からの制御信号及び駆動電源などを駆動集積回路に供給する。この場合、回路フィルムは可撓性印刷回路フィルム（Ｆｌｅｘｉｂｌｅ  Ｐｒｉｎｔｅｄ  Ｃｉｒｃｕｉｔ  Ｆｉｌｍ）で、異方性導電フィルム（Ａｎｉｓｏｔｒｏｐｉｃ  Ｃｏｎｄｕｃｔｉｎｇ  Ｆｉｌｍ）とリンクラインなどを介して液晶パネルに備えられた各パッド部の一方側端に電気的に接続される。
【発明の開示】
【発明が解決しようとする課題】
【０００７】
しかしながら、従来の液晶表示装置は、複数のデータ及びゲート駆動集積回路、複数の回路フィルム及び制御部が形成された印刷回路基板などを含んでなるため、その大きさ及び製造コストを減少させるのに限界がある他、消費電力が高いという問題点があった。
【０００８】
本発明は上記の問題点を解決するためのもので、その目的は、液晶パネルの大きさを減少させながらも製造コスト及び消費電力を減少させることができる液晶表示装置を提供することにある。
【課題を解決するための手段】
【０００９】
上記の目的を達成するための本発明の一実施例に係る液晶表示装置は、複数のデータライン及び複数のゲートラインによって定義される領域ごとに配置される複数の画素セルを持つ液晶パネルと、前記液晶パネルに形成され、前記各ゲートラインにゲートオン電圧を供給するゲート内蔵回路と、前記ゲート内蔵回路を駆動させるとともに、前記各データラインに画像信号を供給する駆動集積回路と、前記液晶パネルに前記駆動集積回路の入／出力バンプと電気的に接続されるように複数の入／出力端子が形成され、前記駆動集積回路が実装されるパッド部と、を備える構成とした。
【００１０】
なお、上記の目的を達成するための本発明の他の実施例に係る液晶表示装置は、複数のデータラインと複数の第１及び第２のゲートラインによって定義される領域ごとに配置される複数の画素セルを持つ液晶パネルと、前記液晶パネルの一方側に形成され、前記第１のゲートラインにゲートオン電圧を供給する第１のゲート内蔵回路と、前記液晶パネルの他方側に形成され、前記第２のゲートラインにゲートオン電圧を供給する第２のゲート内蔵回路と、前記第１及び第２のゲート内蔵回路を駆動させるとともに、前記各データラインに画像信号を供給する駆動集積回路と、前記液晶パネルに前記駆動集積回路の入／出力バンプと電気的に接続されるように複数の入／出力端子が形成され、前記駆動集積回路が実装されるパッド部と、を備える構成とした。
【発明の効果】
【００１１】
本発明による液晶表示装置は、下記のような効果を奏でる。
【００１２】
第一、一つの駆動集積回路で液晶パネルを駆動するとともに、該駆動集積回路を液晶パネルに内蔵しているため、製造コストの低減を図り、かつ、液晶表示装置の厚さを最小化することが可能になる。
【００１３】
第二、駆動集積回路の下部面の周縁部に沿って複数の入／出力バンプを配置しているため、液晶表示装置の大きさを最小化することが可能になる。
【００１４】
第三、画像信号の極性をデータライン単位に反転させるとともに、フレーム単位に反転させているため、消費電力を減少させることが可能になる。
【００１５】
第四、各画素セルが水平方向に配置されているため、データラインの数を１／３に低減させることが可能になる。
【発明を実施するための最良の形態】
【００１６】
以下、本発明による液晶表示装置の好適な実施例について、添付の図面を参照しつつより詳細に説明する。
【００１７】
図１は、本発明の一実施例による液晶表示装置を示す構成図である。
【００１８】
図１に示す液晶表示装置は、複数のデータラインＤＬ及びゲートラインＧＬによって定義される領域ごとに形成され、データラインの方向（垂直方向）に３色が反復的に配置されるとともに、ゲートラインの方向（水平方向）に同じ色が配置される複数の画素セル１１を持つ液晶パネル１０と、液晶パネル１０に形成され、ゲートラインＧＬを駆動するゲート内蔵回路１２と、ゲート内蔵回路１２を駆動させるとともに、データラインＤＬに画像信号を供給するように液晶パネル１０に実装された駆動集積回路１３と、液晶パネル１０に取り付けられ、該液晶パネル１０を外部の駆動システム（図示せず）に連結する可撓性印刷回路２０と、を備える。
【００１９】
液晶パネル１０は、相対向して合着された下部基板１４及び上部基板１５と、両基板１４，１５間のセルギャップを一定に維持させるスペーサ（図示せず）と、スペーサによって形成された液晶空間に埋め込まれた液晶層（図示せず）と、を備える。
【００２０】
下部基板１４は、上部基板１５に対応する表示領域と、表示領域以外の非表示領域とを備える。
【００２１】
下部基板１４の表示領域には、一定の間隔で第１の方向に並んで形成された複数のデータラインＤＬと、一定の間隔で第１の方向と交差する第２の方向に並んで形成された複数のゲートラインＧＬと、複数のデータラインＤＬ及びゲートラインＧＬによって定義される領域ごとに形成された画素セル１１と、を備えてなる。ここで、画像信号が供給されるデータラインＤＬは、ゲートオン電圧が供給されるゲートラインＧＬよりも少ない数を持つように形成される。
【００２２】
画素セル１１のそれぞれは、ゲートラインＧＬとデータラインＤＬに接続される薄膜トランジスタ１６と、薄膜トランジスタ１６に接続された画素電極１７とを備える。
【００２３】
薄膜トランジスタ１６は、ゲートラインＧＬに接続されたゲート電極と、データラインＤＬに接続されたソース電極と、画素電極１７に接続されたドレイン電極とを備える。ここで、薄膜トランジスタ１６のそれぞれは、データラインＤＬに沿って千鳥状に配置される。すなわち、データラインＤＬに沿って上下に隣接する２個の画素セル１１のそれぞれの薄膜トランジスタ１６は、相互に異なるデータラインＤＬに接続される。これにより、奇数番目のゲートライン（ＧＬ２ｎ−１）に接続された薄膜トランジスタ１６のそれぞれは、第１乃至第ｍのデータラインＤＬ１〜ＤＬｍからの画像信号を各画素電極１７に供給し、偶数番目のゲートライン（ＧＬ２ｎ）に接続された薄膜トランジスタ１６のそれぞれは、第２乃至第ｍ＋１のデータラインＤＬ２〜ＤＬｍ＋１からの画像信号を各画素電極１７に供給する。
【００２４】
画素電極１７は、データラインＤＬと平行な辺の長さが、ゲートラインＧＬと平行な辺の長さよりも相対的に短く形成される。これにより、画素電極１７は水平ストライプの形態を持つ。
【００２５】
下部基板１４の非表示領域には、複数のゲートラインＧＬのそれぞれに接続されるゲート内蔵回路１２が形成されるとともに、駆動集積回路１３が実装される。
【００２６】
上部基板１５は、カラーフィルタ、共通電極、遮光層などを備えてなる。ここで、共通電極は、液晶層に形成される液晶によって下部基板１４に形成されても良い。
カラーフィルタは、赤色（Ｒ）カラーフィルタ、緑色（Ｇ）カラーフィルタ及び青色（Ｂ）カラーフィルタが、データラインＤＬの方向に反復して形成されるとともに、ゲートラインＧＬの方向に沿っては同色のものが配列される。
【００２７】
共通電極は、液晶層に垂直電界を形成するために画素電極１７と対向して上部基板１５の全面に形成されるか、ライン形態に形成されることができる。ここで、共通電極は、液晶層に水平電界を形成するために画素電極１７と並んで下部基板１４に形成されても良い。
【００２８】
遮光層は、画素電極１７と重なり合う開口領域以外の領域に重なるように上部基板１５上に形成される。
【００２９】
このような、赤色（Ｒ）カラーフィルタ、緑色（Ｇ）カラーフィルタ及び青色（Ｂ）カラーフィルタのそれぞれが形成された赤色（Ｒ）、緑色（Ｇ）及び青色（Ｂ）の画素セルは、一つのカラー画像を表示する単位画素を構成する。
【００３０】
可撓性印刷回路２０は、下部基板１４の非表示領域に備えられ、パッド部に付着される。このような可撓性印刷回路２０は、駆動システムから供給されるソースデータ信号Ｄａｔａ及び同期信号ＤＥ、ＤＣＬＫ、Ｈｓｙｎｃ、Ｖｓｙｎｃを駆動集積回路１３に伝達する。
【００３１】
駆動集積回路１３は、下部基板１４の非表示領域において複数の入出力パッドが形成された集積回路実装部に実装される。これにより、駆動集積回路１３に設けられた複数の入出力バンプ（Ｂｕｍｐ）のそれぞれは、集積回路実装部の入出力パッドのそれぞれに電気的に接続されるように実装される。ここで、駆動集積回路１３の入出力バンプ及びパッド部との電気的な接続関係は、添付の図面を参照して具体的に後述される。
【００３２】
駆動集積回路１３は、可撓性印刷回路２０から供給される同期信号ＤＥ、ＤＣＬＫ、Ｈｓｙｎｃ、Ｖｓｙｎｃのうちの少なくとも一つの信号を用いて水平同期信号Ｈｓｙｎｃの１周期に対応する１水平区間を第１乃至第３のサブ区間に分けて駆動するためのゲート駆動信号及びデータ制御信号を生成する。
【００３３】
また、駆動集積回路１３は、ソースデータ信号Ｄａｔａを、第１乃至第３のサブ区間のそれぞれに対応する赤色データ（Ｒ）、緑色データ（Ｇ）及び青色データ（Ｂ）に整列した後、アナログ信号である画像信号に変換してデータラインＤＬに供給する。
【００３４】
図２は、図１における駆動集積回路を示す構成図である。
【００３５】
図２に示す駆動集積回路１３は、信号中継部３１０、第１の電源生成部３２０、クロック生成部３２２、基準電圧設定部３２４、第２の電源生成部３２６、信号制御部３３０、制御信号生成部３４０、昇圧回路３５０、階調電圧生成部３６０及びデータ変換部３８０を備える。
【００３６】
信号中継部３１０は、可撓性印刷回路２０から供給されるソースデータ信号Ｄａｔａ及び同期信号ＤＥ、ＤＣＬＫ、Ｈｓｙｎｃ、Ｖｓｙｎｃを信号制御部３３０に中継する。
【００３７】
クロック生成部３２２は、第１及び第２の電源生成部３２０，３２６を駆動させるためのクロックを生成する。
【００３８】
第１の電源生成部３２０は、可撓性印刷回路２０から供給される入力電源Ｖｉｎを用いてクロック生成部３２２から供給されるクロックによって第１の電源、すなわち、第１及び第２の基準電圧ＶＳＰ、ＶＳＮを生成する。このとき、可撓性印刷回路２０に実装された抵抗２１、キャパシタ２２及びインダクタ２３などの受動素子は、電源信号ライン３２１ａ，３２１ｂ，３２１ｃを介して第１の電源生成部３２０に接続され、第１の電源生成部３２０で生成された第１及び第２の基準電圧ＶＳＰ、ＶＳＮをバイアシングしたり駆動集積回路１３のオプション機能を設定する機能を果たす。
【００３９】
第２の電源生成部３２６は、第１の電源生成部３２０で生成された第１及び第２の基準電圧ＶＳＰ、ＶＳＮを用いて液晶パネル１０の駆動に必要な第２の電源、すなわち、第１及び第２の駆動電圧Ｖｄｄ、Ｖｓｓ、集積回路駆動電圧Ｖｃｃ、ゲートオン電圧Ｖｏｎ及びゲートオフ電圧Ｖｏｆｆを生成する。
【００４０】
基準電圧設定部３２４は、第１の電源生成部３２０から階調電圧生成部３６０に供給される第１及び第２の基準電圧ＶＳＰ、ＶＳＮのレベルを設定する。
【００４１】
共通電圧生成部３２８は、第２の電源生成部３２６から可撓性印刷回路２０の受動素子を介して供給される第１及び第２の駆動電圧Ｖｄｄ、Ｖｓｓを用いて液晶パネル１０の共通電極に供給される共通電圧を生成する。このとき、可撓性印刷回路２０には図示せぬ抵抗及びキャパシタの少なくとも一つを用いて共通電圧生成部３２８から生成される共通電圧Ｖｃｏｍを可変するための共通電圧可変部（図示せず）が備られることができる。
【００４２】
信号制御部３３０は、信号中継部３１０の駆動を制御し、駆動集積回路１３の内部回路ブロックを制御する役割を果たす。
【００４３】
また、信号制御部３３０は、図３に示すように、信号中継部３１０から供給されるソースデータ信号Ｄａｔａを液晶パネル１０の駆動に合わせて整列し、整列されたデータＲＧＢをデータ変換部３８０に供給する。
【００４４】
具体的に、信号制御部３３０は、信号中継部３１０から供給される１水平区間のソースデータ信号Ｄａｔａを、第１乃至第３のサブ区間のそれぞれに対応するように赤色データ（Ｒ）、緑色データ（Ｇ）及び青色データ（Ｂ）に整列する。
【００４５】
そして、信号制御部３３０は、整列された赤色データ（Ｒ）を、１水平区間の第１のサブ区間（１ＳＴ）の間に、第１乃至第ｍのデータラインＤＬ１〜ＤＬｍのうち、奇数番目のデータラインＤＬ１，ＤＬ３〜ＤＬｍ−１に供給される奇数番目の赤色データＲＯ１〜ＲＯｍ／２と、偶数番目のデータラインＤＬ２、ＤＬ４〜ＤＬｍに供給される偶数番目の赤色データＲＥ１〜ＲＥｍ／２に再整列する。
【００４６】
続いて、信号制御部３３０は、整列された緑色データＧを、１水平区間の第２のサブ区間（２ＳＴ）の間に、第２乃至第ｍ＋１のデータラインＤＬ２〜ＤＬｍ＋１のうち、偶数番目のデータラインＤＬ２，ＤＬ４〜ＤＬｍに供給される奇数番目の緑色データＧＯ１〜ＧＯｍ／２と、奇数番目データラインのＤＬ３，ＤＬ５〜ＤＬｍ＋１に供給される偶数番目の緑色データＧＥ１〜ＧＥｍ／２に再整列する。
【００４７】
これと同様に、信号制御部３３０は、整列された青色データＢを、１水平区間の第３サブ区間（３ＳＴ）の間に、第１乃至第ｍのデータラインＤＬ１〜ＤＬｍのうち、奇数番目のデータラインＤＬ１、ＤＬ３〜ＤＬｍ−１に供給される奇数番目の青色データＢＯ１〜ＢＯｍ／２と、偶数番目のデータラインＤＬ２、ＤＬ４〜ＤＬｍに供給される偶数番目の青色データＢＥ１〜ＢＥｍ／２に再整列する。
【００４８】
また、信号制御部３３０は、信号中継部３１０から供給される同期信号ＤＥ、ＤＣＬＫ、Ｈｓｙｎｃ、Ｖｓｙｎｃを制御信号生成部３４０に供給する。
【００４９】
制御信号生成部３４０は、信号制御部３３０から供給される同期信号ＤＥ、ＤＣＬＫ、Ｈｓｙｎｃ、Ｖｓｙｎｃのうち少なくとも一つの信号を用いてデータ制御信号ＤＳＴ、ＤＳＣ、ＤＯＥ、ＤＰＳ及びゲート駆動信号Ｖｓｔ、ＣＬＫ１〜ＣＬＫｉを生成する。
【００５０】
データ制御信号ＤＳＴ、ＤＳＣ、ＤＯＥ、ＤＰＳは、データ変換部３８０を制御するためのデータスタート信号ＤＳＴ、データシフトクロックＤＳＣ、データ出力信号ＤＯＥ及びデータ極性信号ＤＰＳを含む。ここで、制御信号生成部３４０は、隣接するデータラインＤＬに相互に異なる極性の画像信号を供給するとともに、各データラインＤＬに供給される画像信号の極性をフレーム単位に反転させるためのデータ極性信号ＤＰＳを生成する。すなわち、制御信号生成部３４０は、画像信号の極性をデータライン単位に反転させるとともに、フレーム単位に反転させるカラムインバージョン方式のデータ極性信号ＤＳＰを生成する。
【００５１】
ゲート駆動信号ＲＶｓｔ、ＲＣＬＫ１〜ＲＣＬＫｉは、ゲート内蔵回路１２を駆動させるためのゲートスタート信号ＲＶｓｔと第１乃至第ｉのクロック信号ＲＣＬＫ１〜ＲＣＬＫｉを含む。ここで、第１乃至第ｉのクロック信号ＲＣＬＫ１〜ＲＣＬＫｉのそれぞれは、各サブ区間に薄膜トランジスタ１６をターン−オンさせるためのパルス幅を持つように位相が順次に遅延される。また、第１乃至第ｉのクロック信号ＲＣＬＫ１〜ＲＣＬＫｉは、ゲート内蔵回路１２によって２相、４相、６相、８相及び１０相のうちのいずれか一つになりうる。
【００５２】
昇圧回路３５０は、第２の電源生成部３２６から供給されるゲートオン電圧Ｖｏｎ及びゲートオフ電圧Ｖｏｆｆを用いて、制御信号生成部３４０から供給されるゲート駆動信号ＲＶｓｔ、ＲＣＬＫ１〜ＲＣＬＫｉの電圧レベルを昇圧する。ここで、ゲートオン電圧Ｖｏｎは、各画素セル１７の薄膜トランジスタ１６をターン−オンさせるための電圧で、ゲートオフ電圧Ｖｏｆｆは、薄膜トランジスタ１６をターン−オフさせるための電圧である。このような昇圧回路３５０は、下部基板１４の非表示領域に形成されたゲート駆動信号転送ライン１８を介して昇圧されたゲート駆動信号Ｖｓｔ、ＣＬＫ１〜ＣＬＫｉを、ゲート内蔵回路１２に供給する。
【００５３】
階調電圧生成部３６０は、第１の電源生成部３２０から供給される第１及び第２の基準電圧ＶＳＰ、ＶＳＮを細分化して複数の階調電圧を生成し、生成された複数の階調電圧をデータ変換部３８０に供給する。ここで、複数の階調電圧は、ソースデータ信号ＤａｔａがＮビットである場合、２Ｎ個の正極性（＋）の階調電圧と負極性（−）の階調電圧を生成する。
【００５４】
データ変換部３８０は、シフトレジスタ３８１、ラッチ部３８３、デジタル−アナログ変換部３８５、バッファ部３８７及び選択部３８９を備える。
【００５５】
シフトレジスタ３８１は、制御信号生成部３４０から供給されるデータシフトクロックＤＳＣによって、データスタート信号ＤＳＴを順次にシフトさせてシフト信号ＳＳを生成する。このとき、シフトレジスタ３８１は、信号制御部３３０から供給される方向信号によって両方向に駆動される両方向シフトレジスタにすることができる。
【００５６】
ラッチ部３８３は、シフトレジスタ３８１から供給されるシフト信号ＳＳによって信号制御部３３０から供給される１水平ライン分のデータＲＧＢを順次にラッチする。そして、ラッチ部３８３は、制御信号生成部３４０から供給されるデータ出力信号ＤＯＥによってラッチされた１水平ライン分のデータＲＤａｔａをデジタル−アナログ変換部３８５に供給する。
【００５７】
デジタル−アナログ変換部３８５は、階調電圧生成部３６０から供給される複数の正極性階調電圧と負極性階調電圧とを用いて、ラッチ部３８３から供給されるラッチされたデータＲＤａｔａをアナログ信号である正極性及び負極性の画像信号ＰＶＳ、ＮＶＳに変換する。このとき、デジタル−アナログ変換部３８５は、複数の正極性階調電圧から、ラッチされたデータＲＤａｔａの階調値に対応する一つの階調電圧を正極性画像信号ＰＶＳとして選択すると同時に、複数の負極性階調電圧から、ラッチされたデータＲＤａｔａの階調値に対応する一つの階調電圧を負極性画像信号ＮＶＳとして選択する。
【００５８】
バッファ部３８７は、第１の電源生成部３２０から可撓性印刷回路２０の受動素子を介して供給される第１及び第２の駆動電圧Ｖｄｄ、Ｖｓｓを用いて正極性及び負極性画像信号ＰＶＳ、ＮＶＳのそれぞれをバッファリングする。このとき、バッファ部３８７はデータラインＤＬの負荷を勘案し、正極性及び負極性画像信号ＰＶＳ、ＮＶＳのそれぞれを増幅して出力する。
【００５９】
選択部３８９は、制御信号生成部３４０から供給されるデータ極性信号ＤＰＳによって、バッファ部３８７から供給される正極性または負極性画像信号ＰＶＳ、ＮＶＳを選択し、第１乃至第ｍ＋１の出力チャネルを介してデータラインＤＬに供給する。このとき、選択部３８９によって選択されて出力される画像信号の極性は、データ極性信号ＤＰＳによって出力チャネル単位に反転されるとともに、フレーム単位に反転される。
【００６０】
図１において、ゲート内蔵回路１２は、薄膜トランジスタ１６の形成工程とともに複数のゲートラインＧＬのそれぞれに接続されるように下部基板１４の非表示領域に形成される。このようなゲート内蔵回路１２は、駆動集積回路１３から供給される昇圧されたゲート駆動信号Ｖｓｔ、ＣＬＫ１〜ＣＬＫｉによって、各サブ区間ごとにゲートオン電圧を発生してゲートラインＧＬに順次に供給する。このとき、駆動集積回路１３は、下部基板１４の非表示領域に形成された複数のゲート駆動信号転送ライン１８を介して、昇圧されたゲート駆動信号Ｖｓｔ、ＣＬＫ１〜ＣＬＫｉをゲート内蔵回路１２に供給する。
【００６１】
図４は、本発明の一実施例による駆動集積回路の入出力バンプ及びパッド部を示す構成図である。
【００６２】
図４に示す駆動集積回路１３は、可撓性印刷回路２０から入力電源Ｖｉｎ、ソースデータ信号Ｄａｔａ及び同期信号ＤＥ、ＤＣＬＫ、Ｈｓｙｎｃ、Ｖｓｙｎｃなどを受信する複数個の入力バンプＩＮ１〜ＩＮｎと、ゲート駆動信号Ｖｓｔ、ＣＬＫ１〜ＣＬＫｉを出力する複数個のゲート出力バンプＧＴ１〜ＧＴｎと、各データラインＤＬ１〜ＤＬｍと共通電極に画像信号と共通電圧Ｖｃｏｍを供給する複数個のデータ出力バンプＤＴ１〜ＤＴｎとを備える。
【００６３】
各入力バンプＩＮ１〜ＩＮｎは、駆動集積回路１３の下部面の第１の周縁部、すなわち、可撓性印刷回路２０に臨む縁部に最も近隣して配置されることができる。そして、それぞれのデータ出力バンプＤＴ１〜ＤＴｎは、駆動集積回路１３の下部面の第２の周縁部、すなわち、各データラインＤＬ１〜ＤＬｍに臨む縁部に最も近隣して配置されることができる。なお、それぞれのゲート出力バンプＧＴ１〜ＧＴｎは、入力バンプＩＮ１〜ＩＮｎとデータ出力バンプＤＴ１〜ＤＴｎが配置されていない第３の周縁部、すなわち、ゲート駆動回路１２に臨む縁部に最も近隣して配置されることができる。
【００６４】
図４に示すパッド部２４には、駆動集積回路１３の入力バンプＩＮ１〜ＩＮｎのそれぞれに電気的に接続される複数個の入力接続端子ＩＰ１〜ＩＰｎ、複数個のゲート出力バンプＧＴ１〜ＧＴｎのそれぞれに電気的に接続される複数個のゲート接続端子ＧＰ１〜ＧＰｎ、複数個のデータ出力バンプＤＴ１〜ＤＴｎのそれぞれに電気的に接続される複数個のデータ接続端子ＤＰ１〜ＤＰｎを備える。このような複数個の入力接続端子ＩＰ１〜ＩＰｎ、ゲート接続端子ＧＰ１〜ＧＰｎ及びデータ接続端子ＤＰ１〜ＤＰｎは、それぞれの信号転送パターンＰＬと一体に形成されることができる。
【００６５】
図５は本発明の一実施例による液晶表示装置の駆動波形を示す波形図である。
【００６６】
本発明の一実施例による液晶表示装置の駆動について、図５と図１を結びつけて説明すると、下記の通りである。
【００６７】
まず、第１の水平区間の第１のサブ区間では、第１のゲートラインＧＬ１にゲートオン電圧が供給されると同期して、第１乃至第ｍのデータラインＤＬ１〜ＤＬｍのうち、奇数番目のデータラインＤＬ＿ｏｄｄに正極性（＋）の赤色画像信号Ｒ＋が供給され、偶数番目のデータラインＤＬ＿ｅｖｅｎに負極性（−）の赤色画像信号（Ｒ−）が供給される。これにより、第１の水平ラインの各画素セル１１のうち、奇数番目の画素セル１１は、正極性の赤色画像信号Ｒ＋に対応する赤色画像を表示し、偶数番号目の画素セル１１は負極性の赤色画像信号Ｒ−に対応する赤色画像を表示する。
【００６８】
続いて、第１の水平区間の第２のサブ区間では、第２のゲートラインＧＬ２にゲートオン電圧が供給されると同期して、第２乃至第ｍ＋１のデータラインＤＬ２〜ＤＬｍ＋１のうち、奇数番目のデータラインＤＬ＿ｏｄｄに正極性の緑色画像信号Ｇ＋が供給され、偶数番目のデータラインＤＬ＿ｅｖｅｎに負極性の緑色画像信号Ｇ−が供給される。これにより、第２の水平ラインの各画素セル１１のうち、奇数番目の画素セル１１は負極性の緑色画像信号Ｇ−に対応する緑色画像を表示し、偶数番目の画素セル１１は正極性の緑色画像信号Ｇ＋に対応する緑色画像を表示する。このとき、垂直に隣接した第１及び第２の水平ラインの各画素セル１１に表示される画像信号は相互に異なる極性を持つ。
【００６９】
続いて、第１の水平区間の第３サブ区間では、第３ゲートラインＧＬ３にゲートオン電圧が供給されると同期して、第１乃至第ｍのデータラインＤＬ１〜ＤＬｍのうち、奇数番目のデータラインＤＬ＿ｏｄｄに正極性の青色画像信号Ｂ＋が供給され、偶数番目のデータラインＤＬ＿ｅｖｅｎに負極性の青色画像信号Ｂ−が供給される。これにより、第３の水平ラインの各画素セル１１のうち、奇数番目の画素セル１１は正極性の青色画像信号Ｂ＋に対応する青色画像を表示し、偶数番目の画素セル１１は負極性の青色画像信号Ｂ−に対応する青色画像を表示する。このとき、垂直に隣接した第２及び第３の水平ラインの各画素セル１１に表示される画像信号は相互に異なる極性を持つ。
【００７０】
このような第１乃至第３のサブ区間に分けられた第１の水平区間では、各サブ区間によって順次に赤色、緑色及び青色画像を混合して一つのカラー画像を表示する。
【００７１】
同様に、第１の水平区間以降の各水平区間の各画素セルには、上記の第１の水平区間におけると同じ方法で一つのカラー画像を表示する。そして、次のフレームで上記のように画像信号の極性が反転される。
【００７２】
したがって、各画素セル１１の薄膜トランジスタ１６がデータラインＤＬの方向に沿って千鳥状に配置されることによって、駆動集積回路１３から液晶パネル１０に供給されるカラムインバージョン方式の極性パターンを持つ画像信号が、ドットインバージョン方式の極性パターンで表示されることができる。
【００７３】
図６は、本発明の他の実施例による液晶表示装置を示す構成図である。
【００７４】
図６に示す液晶表示装置は、液晶パネル１０の一方側に形成され、複数の偶数番目のゲートラインＥＧＬを駆動する第１のゲート内蔵回路１２、液晶パネル１０の他方側に形成され、複数の奇数番目のゲートラインＯＧＬを駆動する第２のゲート内蔵回路２６、及び、第１及び第２のゲート内蔵回路１２，２６を駆動させるとともに、データラインＤＬに画像信号を供給するように液晶パネル１０に実装された駆動集積回路２５を備える。ここで、第１及び第２のゲート内蔵回路１２，２６と駆動集積回路２５以外の構成は、図１に示す液晶表示装置と同一であり、したがって、図１と同じ構成要素には同一符号を使用し、その詳細は省略するものとする。
【００７５】
このような、本発明の他の実施例による液晶表示装置の駆動集積回路２５は、図７に示すように、可撓性印刷回路２０から入力電源Ｖｉｎ、ソースデータ信号Ｄａｔａ及び同期信号ＤＥ、ＤＣＬＫ、Ｈｓｙｎｃ、Ｖｓｙｎｃなどを受信する複数個の入力バンプＩＮ１〜ＩＮｎ、第１のゲート内蔵回路１２に第１のゲート駆動信号Ｖｓｔ１、ＣＬＫ１〜ＣＬＫｉを出力する複数個の第１のゲート出力バンプＥＧＴ１〜ＥＧＴｎ、第２のゲート内蔵回路２６に第２のゲート駆動信号Ｖｓｔ２、ＣＬＫ１〜ＣＬＫｉを出力する複数個の第２のゲート出力バンプＯＧＴ１〜ＯＧＴｎ、及び各データラインＤＬ１〜ＤＬｍと共通電極に画像信号と共通電圧Ｖｃｏｍを供給する複数個のデータ出力バンプＤＴ１〜ＤＴｎを備える。
【００７６】
各入力バンプＩＮ１〜ＩＮｎは、駆動集積回路２５の下部面の第１の周縁部、すなわち、可撓性印刷回路２０に臨む縁部に最も近隣して配置されることができる。また、それぞれのデータ出力バンプＤＴ１〜ＤＴｎは、駆動集積回路２５の下部面の第２の周縁部、すなわち、各データラインＤＬ１〜ＤＬｍに臨む縁部に最も近隣して配置されることができる。また、それぞれの第１のゲート出力バンプＥＧＴ１〜ＥＧＴｎは、入力バンプＩＮ１〜ＩＮｎとデータ出力バンプＤＴ１〜ＤＴｎが配置されていない第３の周縁部、すなわち、第１のゲート駆動回路１２に臨む縁部に最も近隣して配置されることができる。そして、第２のゲート出力バンプＯＧＴ１〜ＯＧＴｎは、第２のゲート駆動回路２６と最も近隣する駆動集積回路２５の下部面の第４周縁部に配置されることができる。
【００７７】
図７に示すパッド部２４には、駆動集積回路２５の入力バンプＩＮ１〜ＩＮｎのそれぞれに電気的に接続される複数個の入力接続端子ＩＰ１〜ＩＰｎ、複数個の第１のゲート出力バンプＥＧＴ１〜ＥＧＴｎのそれぞれに電気的に接続される複数個の第１のゲート接続端子ＥＧＰ１〜ＥＧＰｎ、複数個の第２のゲート出力バンプＯＧＴ１〜ＯＧＴｎのそれぞれに電気的に接続される複数個の第２のゲート接続端子ＯＧＰ１〜ＯＧＰｎ、及び複数個のデータ出力バンプＤＴ１〜ＤＴｎのそれぞれに電気的に接続される複数個のデータ接続端子ＤＰ１〜ＤＰｎを備える。このような複数個の入力接続端子ＩＰ１〜ＩＰｎ、第１のゲート接続端子ＥＧＰ１〜ＥＧＰｎ、複数個の第２のゲート接続端子ＯＧＰ１〜ＯＧＰｎ及びデータ接続端子ＤＰ１〜ＤＰｎは、それぞれの信号転送パターンＰＬと一体に形成されることができる。
【００７８】
図８は、本発明の他の実施例による液晶表示装置の駆動波形を示す波形図である。
【００７９】
本発明の他の実施例による液晶表示装置の駆動について、図８を図６と結付して説明すると、下記の通りである。
【００８０】
まず、第１の水平区間の第１のサブ区間では、第１の偶数番目のゲートラインＥＧＬ１にゲートオン電圧が供給されると同期して、第１乃至第ｍのデータラインＤＬ１〜ＤＬｍのうち、奇数番目のデータラインＤＬ＿ｏｄｄに正極性（＋）の赤色画像信号Ｒ＋が供給され、偶数番目のデータラインＤＬ＿ｅｖｅｎに負極性（−）の赤色画像信号Ｒ−が供給される。これにより、第１の水平ラインの各画素セル１１のうち、奇数番目の画素セル１１は、正極性の赤色画像信号Ｒ＋に対応する赤色画像を表示し、偶数番目の画素セル１１は負極性の赤色画像信号Ｒ−に対応する赤色画像を表示する。
【００８１】
続いて、第１の水平区間の第２のサブ区間では、第１の奇数番目のゲートラインＯＧＬ２にゲートオン電圧が供給されると同期して、第２乃至第ｍ＋１のデータラインＤＬ２〜ＤＬｍ＋１のうち、奇数番目のデータラインＤＬ＿ｏｄｄに正極性の緑色画像信号Ｇ＋が供給され、偶数番目のデータラインＤＬ＿ｅｖｅｎに負極性の緑色画像信号Ｇ−が供給される。これにより、第２の水平ラインの各画素セル１１のうち、奇数番目の画素セル１１は、負極性の緑色画像信号Ｇ−に対応する緑色画像を表示し、偶数番目の画素セル１１は正極性の緑色画像信号Ｇ＋に対応する緑色画像を表示する。このとき、垂直に隣接する第１及び第２の水平ラインの各画素セル１１に表示される画像信号は相互に異なる極性を持つ。
【００８２】
続いて、第１の水平区間の第３サブ区間では、第２の偶数番目のゲートラインＥＧＬ２にゲートオン電圧が供給されると同期して、第１乃至第ｍのデータラインＤＬ１〜ＤＬｍのうち、奇数番目のデータラインＤＬ＿ｏｄｄに正極性の青色画像信号Ｂ＋が供給され、偶数番目データラインＤＬ＿ｅｖｅｎに負極性の青色画像信号Ｂ−が供給される。これにより、第３の水平ラインの各画素セル１１のうち、奇数番目の画素セル１１は正極性の青色画像信号Ｂ＋に対応する青色画像を表示し、偶数番目の画素セル１１は負極性の青色画像信号Ｂ−に対応する青色画像を表示する。このとき、垂直に隣接する第２及び第３の水平ラインの各画素セル１１に表示される画像信号は相互に異なる極性を持つ。
【００８３】
このような第１乃至第３のサブ区間に分けられた第１の水平区間では、各サブ区間によって順次に赤色、緑色及び青色画像を混合して一つのカラー画像を表示する。
【００８４】
同様に、第１の水平区間以降の各水平区間の各画素セルには、上記の第１の水平区間と同じ方法で一つのカラー画像を表示する。そして、次のフレームで上記のように画像信号の極性が反転される。
【００８５】
したがって、各画素セル１１の薄膜トランジスタ１６がデータラインＤＬの方向に沿って千鳥状に配置されることによって、駆動集積回路２５から液晶パネル１０に供給されるカラムインバージョン方式の極性パターンを持つ画像信号がドットインバージョン方式の極性パターンで表示されることができる。
【００８６】
このように、本発明による液晶表示装置は、一つの駆動集積回路２５で液晶パネル１０を駆動するとともに、駆動集積回路２５を液晶パネル１０に実装することによって、液晶表示装置の製造コストを低減できる。また、駆動集積回路２５の下部面の周縁部に沿って複数の入／出力バンプＩＮ１〜ＤＰｎを配置することによって、液晶表示装置の大きさを最小化することができる。
【００８７】
本発明は、以上で説明してきた具体的な実施例及び添付図面に限定されることなく、本発明の技術的思想を逸脱しない範囲内で様々な置換、変形及び変更が可能であるということは、当該技術分野における通常の知識を持つ者にとっては明らかである。
【図面の簡単な説明】
【００８８】
【図１】本発明の一実施例による液晶表示装置を示す構成図である。
【図２】図１における駆動集積回路を示す構成図である。
【図３】図２における信号制御部によって整列されるデータ信号を示す図である。
【図４】本発明の一実施例による駆動集積回路の入出力バンプ及びパッド部を示す構成図である。
【図５】本発明の一実施例による液晶表示装置の駆動波形を示す波形図である。
【図６】本発明の他の実施例による液晶表示装置を示す構成図である。
【図７】本発明の他の実施例による駆動集積回路の入出力バンプ及びパッド部を示す構成図である。
【図８】本発明の他の実施例による液晶表示装置の駆動波形を示す波形図である。
【符号の説明】
【００８９】
１０    液晶パネル
１１    画素セル
１２    第１のゲート内蔵回路
１３    駆動集積回路
１４    下部基板
１５    上部基板
１６    薄膜トランジスタ
１７    画素電極
２０    可撓性印刷回路
２６    第２のゲート内蔵回路
【図１】
2008216982.tif 000003
【図２】
2008216982.tif 000004
【図３】
2008216982.tif 000005
【図４】
2008216982.tif 000006
【図５】
2008216982.tif 000007
【図６】
2008216982.tif 000008
【図７】
2008216982.tif 000009
【図８】
2008216982.tif 000010